(57)【要約】本発明は、透明又は半透明の液体媒質及び液体媒質の中に含有される固体粒子を含む液体組成物に関し、その際、液体媒質は１０重量％未満の水を含み、該組成物は個々の固体粒子が小袋の外側から眼に見えるように透明又は半透明の水溶性の材料からできた小袋に収容されている。好ましくは、固体粒子は０．５ｍｍ〜１２ｍｍの間の平均幾何直径を有する。【特許請求の範囲】
【請求項１】
透明又は半透明の液体媒質及び液体媒質内に含有される固体粒子を含む液体組成物であって、液体媒質が１０重量％未満の水を含み、組成物が、小袋の外側から個々の固体粒子が眼に見えるように透明又は半透明の水溶性材料から作られた小袋に収容されていることを特徴とする、液体組成物。
【請求項２】
水溶性の小袋材料が、ポリアクリレート類及び水溶性アクリレートコポリマー類、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート類及びこれらの混合物より成る群から選択される水溶性ポリマーを含む、請求項１に記載の液体組成物。
【請求項３】
水溶性の小袋材料がポリビニルアルコールを含む、請求項２に記載の液体組成物。
【請求項４】
固体粒子が少なくとも０．５ｍｍの平均幾何直径を有する、請求項１に記載の液体組成物。
【請求項５】
固体粒子が０．５ｍｍ〜１２ｍｍの間、好ましくは１ｍｍ〜５ｍｍの間の平均幾何直径を有する、請求項４に記載の液体組成物。
【請求項６】
固体粒子が漂白剤、漂白剤活性化剤、酵素、香料及びこれらの混合物より成る群から選択される活性成分を含む、請求項１に記載の液体組成物。
【請求項７】
固体粒子の少なくとも一部は着色した、非白色の小斑点である、請求項１〜６のいずれか一項に記載の液体組成物。
【請求項８】
洗濯用組成物の一回用量であって、該組成物が少なくとも
ｉ）陰イオン性界面活性剤と
ｉｉ）脂肪酸
とを含む、請求項１に記載の液体組成物。
【発明の詳細な説明】
【０００１】
（産業上の利用分野）
本発明は、透明又は半透明の液体媒質及び該液体媒質の中に含有される固体粒子を含む液体組成物に関する。
【０００２】
（発明の背景）
１９７３年１月２４日に発行されたＧＢ−Ａ−１３０３８１０は、粒径が少なくとも直径０．５ｍｍの視覚的に識別可能な成分を含む、透明な液体組成物を開示している。視覚的に識別可能な成分が懸濁している液体媒質は、好ましくはビンガム体の粘弾性的特性を有する。すなわち、その内部構造によって、媒質は、降伏値を示し、その値から、媒質と懸濁された粒子との間の所与の密度差について安定的に懸濁されうる粒子の最大の大きさを計算することが可能であるいうことである。
【０００３】
しかしながら、懸濁される粒子の所望の大きさが、沈みもせず、浮かびもせずに懸濁することができる理論的に最大である大きさを超えるならば、その時は、降伏値を高めるために液体媒質を改変しなけらばならないか、又は媒質と懸濁された粒子の間の密度差を下げなければならない。これらの解決法はいずれも実用的ではなく、経済的でもない可能性がある。さらに、媒質の降状点が高すぎると、製品を注ぐのが難しくなる。
【０００４】
懸濁された粒子を含む、視覚的に魅力のある液体組成物を提供することが本発明の目的である。懸濁された粒子自体が製品の審美的外観に寄与してもよいし、又はある種の技術的な機能性を有してもよいし、又はその両方でもよい。不安定性の問題、すなわち、浮かぶか又は沈むことにより粒子が分離すること、及び過剰に高い降状点の問題は克服される。
【０００５】
（発明の概要）
本発明は、透明又は半透明の液体媒質及び液体媒質の中に含有される固体粒子を含む液体組成物を提供し、その際、液体媒質は１０重量％未満の水を含み、該組成物は個々の固体粒子が小袋の外側から眼に見えるように透明又は半透明の水溶性の材料から作られた小袋に収容されている。
【０００６】
好ましくは、水溶性の小袋材料は、ポリアクリレート類及び水溶性アクリレートコポリマー類、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート類並びにそれらの混合物及び積層体より成る群から選択される水溶性材料のフィルムを含む。さらに好ましくは、水溶性の小袋材料はポリビニルアルコール（ＰＶＡ）を含む。
【０００７】
小袋の外側から見た時、ヒトの眼に見えるには、固体粒子は少なくとも０．５ミリメートルの平均幾何直径、さらに好ましくは約０．５ミリメートル〜約１２ミリメートルの間、及び最も好ましくは約１ミリメートル〜約５ミリメートルの間の平均幾何直径を有することが好ましい。本明細書で定義される個々の固体粒子の幾何直径は、個々の粒子と同一の体積を有する仮定上の球状粒子の直径である。１つより多くの固体粒子を考慮する場合、平均幾何直径は、個々の粒子の幾何直径の算術平均値である。
【０００８】
農芸化学及び洗濯の業界を含む種々の産業界が、製品の用量配分をさらに容易にする方法の開発を試みてきている。これに関する方法の１つは、水溶性の小袋の中に封入される「一回用量」を提供することである。本発明の組成物は好ましくは、少なくとも陰イオン性界面活性剤及び脂肪酸ビルダーを含む洗濯用組成物の一回用量である。本発明の利点の１つは、固体粒子が液体媒質の中で必ずしも安定的に懸濁されている必要はなく、むしろ固体粒子は液体媒質の中で沈むか又は浮かんでもよいことである。これによって、もはや固体粒子と液体媒質の密度を一致させる必要がないので、配合者ははるかに大きな自由度を持つことができる。
【０００９】
（発明の詳細な説明）
小袋及びそのための材料
本明細書で「小袋」と呼ばれる本発明の小袋は、通常、組成物を含む体積空間を包含する、本明細書で記載される水溶性フィルムからできている閉鎖構造である。本明細書で前記組成物をさらに詳しく後述する。小袋は組成物を保持するのに適切な、例えば、小袋が水と接触する以前に小袋から組成物が放出されることのない、いかなる形態、形状及び材料であることもできる。正確な実行は、例えば、小袋内の組成物の種類及び量、小袋の区画の数、小袋が組成物を保持、保護、及び送達、又は放出するのに必要とされる特質に依存する。
【００１０】
小袋は、液体組成物を保持する区画を１つ有してもよいし、又は互いに連結した、若しくは互いに連結させずに１つの区画をもう１つの区画に封入させる（連結させない）多数の区画を有してもよい。
【００１１】
小袋は、必要とされる操作、例えば、１度の洗浄に適した本明細書の組成物の一回使用量を含有するか、又は例えば、洗浄するものの汚れの大きさ及び／又は程度によって使用する量を変えられる、より大きな柔軟性を消費者に与える部分使用量だけを簡便に含有するような大きさであってよい。
【００１２】
水溶性フィルム及び好ましくは全体としての小袋は、結果として得られる小袋が少なくとも部分的に延伸されるように、小袋の形成中及び／又は閉鎖時に延伸されることが好ましい場合がある。これによって小袋の体積空間を包含するのに必要なフィルムの量が減るはずである。フィルムを延伸すると、フィルムの厚さが減少する。延伸の程度は、フィルムの厚さの減少によってフィルムの延伸の量を示す。例えば、フィルムを延伸することによって、フィルムの厚さを正確に半分にすれば、その時、延伸されたフィルムの延伸度は１００％である。また、延伸されたフィルムのフィルム厚が正確に未延伸フィルムの４分の１になるようにフィルムを延伸すれば、その時、延伸度はちょうど２００％である。通常及び好ましくは、厚さ、従って延伸度は、形成及び閉鎖の工程により、小袋全体にわたって不均一である。
【００１３】
小袋を延伸するもう１つの利点は、小袋の形状を形成する及び／又は小袋を閉鎖する時、延伸動作が小袋を不均一に延伸し、結果として不均一な厚さを有する小袋を生じることである。これによって、本明細書の水溶性の小袋の溶解を制御することができ、例えば、小袋に封入された洗剤組成物の構成成分を順番に水に放出することができる。
【００１４】
好ましくは、小袋は、延伸された水溶性フィルムで形成された小袋の厚さ変動が１０％〜１０００％、好ましくは２０％〜６００％、又はさらには４０％〜５００％又はさらには６０％〜４００％となるように延伸される。これはいかなる方法でも、例えば、適切なマイクロメータを使用して測定できる。好ましくは小袋は延伸される水溶性フィルムから作られ、前記フィルムは、４０％〜５００％、好ましくは４０％〜２００％の延伸度を有する。
【００１５】
小袋は水溶性フィルムから作られる。フィルム形態の材料は、当業界において既知の、例えば、ポリマー素材のキャスト法、吹き込み成型、押し出し又は吹き込み押し出しによって得られる。フィルムは２つ以上のフィルムの積層体であってもよい。
【００１６】
材料は水溶性であり、最大孔径が５０マイクロメートルであるガラスフィルターを使用した以下に示す方法によって測定した時、少なくとも５０％、好ましくは少なくとも７５％、又はさらに少なくとも９５％の溶解度を有する。
【００１７】
すなわち、区画及び／又は小袋の材料の水溶解度又は水分散度を決定する重量法は、材料５０グラム±０．１グラムを４００ｍｌビーカーに加え、その重量を測定し、蒸留水２４５ｍｌ±１ｍｌを加える。これを６００ｒｐｍに設定された磁性攪拌器で３０分間激しく攪拌する。次いで、混合物を、上記で定義した孔径（最大５０マイクロメートル）を有する組立式定性焼き付けガラスフィルターを通してろ過する。回収したろ液から、いずれかの簡便な方法によって水を乾燥させ、残ったポリマーの重量を測定する（それが溶解又は分散留分である）。その後、％溶解度又は％分散度を計算することができる。
【００１８】
好ましいポリマー、コポリマー又はそれらの誘導体は、ポリビニルアルコール類、ポリアルキレンオキシド類、アクリル酸、セルロース、セルロースエーテル類、セルロースエステル類、ポリビニルアセテート類、ポリカルボン酸類及び塩、ポリアミノ酸類又はペプチド類、ポリアミド類、マレイン酸／アクリル酸のコポリマー類、デンプン及びゼラチンを含む多糖類、キサンタン及びカラゴムなどの天然ゴム類から選択される。さらに好ましいポリマーはポリアクリレート類及び水溶性アクリレートコポリマー類、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート類から選択され、最も好ましくはポリビニルアルコール類、ポリビニルアルコールコポリマー類、及びヒドロキシメチルセルロース（ＨＰＭＣ）である。好ましくは、フィルム材料における型ポリマー（例えば、市販の混合物）の濃度は、例えばＰＶＡポリマーではフィルムの少なくとも６０重量％である。
【００１９】
ポリマーはいかなる重量平均分子量、好ましくは約１０００〜１，０００，０００、さらに１０，０００〜３００，０００、さらに１５，０００〜２００，０００、さらに２０，０００〜１５０，０００を有することができる。
【００２０】
ポリマーの混合物も用いることができる。これは、区画又は小袋の適用及び要求されるニーズに依存して、区画又は小袋の機械的及び／又は溶解特性の制御において特に有益であることができる。例えば、ポリマーの混合物が区画物質に存在することが好ましく、それによって１つのポリマー素材がその他のポリマー素材より、より高い水溶解度を有し、及び／又は１つのポリマー素材がその他のポリマー素材より、より高い機械的強度を有する。異なった重量平均分子量を有する、例えば、１０，０００〜４０，０００、好ましくはおよそ２０，０００の重量平均分子量のＰＶＡ又はそれらのコポリマーと、約１００，０００〜３００，０００、好ましくはおよそ１５０，０００の重量平均分子量のＰＶＡ又はそれらのコポリマーの混合物を使用するのが好ましい。
【００２１】
また、例えば、物質が水分散性又は水溶性でなければならない場合、典型的には１〜３５重量％のポリラクチドとおよそ６５〜９９重量％のポリビニルアルコールを含むポリラクチドとポリビニルアルコールの混合によって達成される、ポリラクチド及びポリビニルアルコールなどの加水分解的に分解でき水溶性のポリマーブレンドを含むポリマーブレンド組成物も有用である。
【００２２】
フィルムに存在するポリマーは、物質の溶解度を改善するために６０％〜９８％加水分解され、好ましくは８０％〜９０％加水分解されていることが好ましい場合がある。
【００２３】
最も好ましいのは、上述のような水溶性及び延伸可能なフィルムであるフィルムである。極めて好ましい水溶性のフィルムは、ＰＶＡポリマーを含み、米国インディアナ州ゲーリーのクリス−クラフト・インダストリアル・プロダクツ（Ｃｈｒｉｓ−Ｃｒａｆｔ Ｉｎｄｕｓｔｒｉａｌ Ｐｒｏｄｕｃｔｓ）により販売されているような商品照会モノソール（登録商標）８６３０及び日本のアイセロ（Ａｉｃｅｌｌｏ）により販売されているＰＴ−７５で知られるフィルムに類似する特性を有するフィルムである。
【００２４】
本明細書の水溶性フィルムは、ポリマー又はポリマー素材以外の他の添加物成分を含んでもよい。例えば、可塑剤、例えば、グリセロール、エチレングリコール、ジエチレングリコール、プロピレングリコール、ソルビトール及びそれらの混合物、付加的な水、分解補助剤を添加することが有益であり得る。小袋又は水溶性フィルム自体が洗浄水に供給されるべき洗剤添加物、例えば、有機ポリマー汚れ放出剤、分散剤、染料移行阻害物質を含むことが有用であり得る。
【００２５】
小袋は通常、組成物を部分的に閉じ込めるような方法で水溶性フィルムに本明細書の組成物を接触させ、部分的に形成された小袋を得る段階を含む工程によって作られる。組成物は、小袋当り少なくとも１つの固体粒子をすでに含有してもよいし、又はもう１つの方法としては、１以上の固体粒子が工程のこの段階で添加されてもよい。任意で、部分的に形成された小袋の第一の水溶性フィルムを次いで第二のフィルムに接触させ、フィルムを一緒に密閉して完全に形成された小袋を提供する。第一及び第二の水溶性のフィルムは、材料の規格及び物理的特性（例えば厚さ）という点で同一であってもよいが、これは必ずしも必要ではない。
【００２６】
好ましい工程では、金型、好ましくは丸い内部側壁及び丸い内部底壁を有する金型を用いて小袋を作る。次いで、液体媒質及び少なくとも１つの固体粒子を金型に移してもよく、組成物を伴った金型の上に第二の水溶性フィルムを置き、次いで小袋を密閉してもよい。好ましくは熱シール又は溶媒シールによって第一及び第二のフィルムを密閉する。小袋の形成中、好ましくはフィルムを延伸する。適切な小袋形成方法は、１９６５年１１月２３日に発行され、クラウド・マシーン社（Ｃｌｏｕｄ Ｍａｃｈｉｎｅ Ｃｏｒｐ．）に譲渡された米国特許出願第３２１８７７６号に開示されている。
【００２７】
液体組成物
通常、液体組成物は、小袋の内部体積空間に収容され、それは、小袋の１以上の区画に分割されてもよい。
【００２８】
液体組成物は好ましくは、０．８ｋｇ／ｌ〜１．３ｋｇ／ｌ、好ましくは約１．０〜１．１ｋｇ／ｌの密度を有する。液体組成物はいかなる方法によっても作ることができ、通常その成分に応じていかなる粘度を有することもできる。所望であれば、硬化ヒマシ油及び／又は溶媒のような種々の粘度変性剤を用いて粘度を制御してもよい。硬化ヒマシ油は、チキシン（Ｔｈｉｘｃｉｎ）（登録商標）として市販されている。適切な溶媒を以下にさらに詳しく説明する。
【００２９】
本発明の液体組成物は濃縮され、低レベルの水を含有する。液体組成物は、１０重量％未満の水、好ましくは６重量％未満の水を含む。適切な組成物はさらに４重量％未満の水を含んでもよい。
【００３０】
本明細書の組成物は通常、洗浄組成物又は布地ケア組成物、好ましくは硬質面洗剤、さらに好ましくは、予備処理又は浸漬組成物及び柔軟剤、皺防止剤、香料組成物のような布地強化剤を含むすすぎ添加組成物を含む洗濯用又は食器洗浄用組成物である。特に好ましいのは、布地洗浄組成物（洗濯洗剤）である。
【００３１】
液体組成物の好ましい成分
本明細書に記載される成分の好ましい量は全て本明細書の組成物の重量％である。
【００３２】
液体組成物が洗剤組成物であれば、少なくとも界面活性剤及びビルダーが存在し、好ましくは少なくとも陰イオン性界面活性剤及び同様に好ましくは非イオン性界面活性剤が存在し、並びに好ましくは少なくともビルダー、さらに好ましくは少なくとも、ホスフェートビルダー及び／又は脂肪酸ビルダーのような水溶性ビルダーが存在することが好ましい。
【００３３】
その他の好ましい構成成分は、酵素及び／又は予備形成したペルオキシ酸のような漂白剤である。
【００３４】
また、香料、光沢剤、緩衝剤（好ましくは５．５〜９、さらに好ましくは６〜８にｐＨを維持する）、粘土及びシリコン有益剤、泡抑制剤を含む、布地柔軟化剤も極めて好ましい。
【００３５】
硬質表面洗浄組成物及び食器洗浄組成物では、少なくともホスフェートのような水溶性ビルダーが存在し、好ましくは界面活性剤、香料、酵素、漂白剤も存在することが好ましい。
【００３６】
布地強化組成物では、好ましくは少なくとも香料及び布地有益剤、例えば、陽イオン性柔軟化剤、又は粘土系柔軟化剤、皺防止剤、織物直接染料が存在する。
【００３７】
上記組成物のすべてで極めて好ましいのはまた、アルコール類、ジオール類、モノアミン誘導体類、グリセロール、グリコール類、ポリエチレングリコールのようなポリアルキレングリコール類のような追加的な溶媒である。アルコール類の混合物、ジオール類とアルコール類の混合物、混合物のような溶媒の混合物が極めて好ましい。極めて好ましいのが、（少なくとも）アルコール、ジオール、モノアミン誘導体及び好ましくはさらにグリセロールが存在することであってもよい。好ましくは本発明の組成物は、好ましくは５０重量％未満又はさらに４０重量％未満の溶媒（水以外の）、好ましくは３０重量％未満又はさらに２０重量％未満又はさらに３５重量％未満の溶媒を有する濃縮された液体である。好ましくは、溶媒は組成物の少なくとも５重量％又はさらに少なくとも１０重量％又はさらに少なくとも１５重量％の濃度で存在する。
【００３８】
極めて好ましいのは、組成物が水溶性小袋材料に対する可塑剤、例えば上述の可塑剤の１つ、例えばグリセロールを含むことである。かかる可塑剤は、組成物のその他の成分に対する溶媒であること及び小袋材料に対する可塑剤であることの二重の目的を有することができる。
【００３９】
陰イオン性界面活性剤
本発明の洗剤組成物は好ましくは界面活性剤系を含む。好ましくは、少なくとも陰イオン性界面活性剤が存在し、好ましくは少なくとも直鎖アルキルベンゼンスルホン酸のようなスルホン酸界面活性剤が存在するが、塩の形態も使用してもよい。好ましくは、組成物の少なくとも１５重量％又はさらに少なくとも２０重量％又はさらに少なくとも３０重量％であり、７０重量％又はさらに６０重量％又はさらに５０重量％までが界面活性剤である。好ましくは、組成物の界面活性剤系には少なくとも陰イオン性界面活性剤及び非イオン性界面活性剤が、好ましくは１：２〜２：１、及びさらに好ましくは１．５：１〜１：１．５の比で存在する。
【００４０】
陰イオン性界面活性剤（類）は好ましくは、組成物の少なくとも７．５重量％の濃度で存在する。さらに好ましくは陰イオン性界面活性剤は、組成物の１０重量％以上又はさらに少なくとも１５重量％、又はさらに２２．５重量％以上の濃度にて存在する。
【００４１】
本明細書で用いるのに適切な陰イオン性スルホネート又はスルホン酸界面活性剤には、Ｃ５〜Ｃ２０、さらに好ましくはＣ１０〜Ｃ１６、さらに好ましくはＣ１１〜Ｃ１３のアルキルベンゼンスルホネート類、アルキルエステルスルホネート類、Ｃ６〜Ｃ２２の第一級又は第二級のアルカンスルホネート類、スルホン化ポリカルボン酸の酸及び塩の形態、及びそれらのいずれかの混合物が挙げられるが、好ましくはＣ１１〜Ｃ１３のアルキルベンゼンスルホネート類が挙げられる。
【００４２】
本発明の組成物で使用するのに適切な陰イオン性サルフェート塩又は酸の界面活性剤には、９〜２２個の炭素原子を有する直鎖又は分枝鎖のアルキル又はアルケニル部分、又はさらに好ましくはＣ１２〜Ｃ１８のアルキルを有する第一級又は第二級のアルキルサルフェート類が挙げられる。
【００４３】
極めて好ましいのはβ−分枝アルキルサルフェート界面活性剤又は市販材料の混合物であり、（界面活性剤又は混合物の）重量平均の分枝率が少なくとも５０％又はさらに少なくとも６０％又はさらに少なくとも８０％又はさらに少なくとも９５％である。これらの分枝サルフェート界面活性剤は、粘度が存在する時、特に粘土が５％以上存在する時に、一層優れた粘度特性を提供することがわかっている。
【００４４】
唯一のサルフェート界面活性剤は、このような高度に分枝したアルキルサルフェート界面活性剤であることが好ましい場合がある。従って、ただ一種類の市販の分枝アルキルサルフェート界面活性剤が存在し、それによって重量平均分枝度は少なくとも５０％、好ましくは少なくとも６０％又はさらに少なくとも８０％、又はさらに少なくとも９０％である。例えば、コンデア（Ｃｏｎｄｅａ）から入手可能なイサルケム（Ｉｓａｌｃｈｅｍ）（登録商標）が好ましい。
【００４５】
中鎖分枝アルキルサルフェート類又はスルホネート類も、本発明の組成物における使用に適した陰イオン性界面活性剤である。好ましいのは、中鎖分枝アルキルサルフェート類である。好ましい中鎖分枝一級アルキルサルフェート界面活性剤は、次式で表される。
【化１】
2004518003.tif 000002
【００４６】
これらの界面活性剤は直鎖一級アルキルサルフェート骨格鎖（すなわち、硫酸化した炭素原子を含む最長の直鎖炭素鎖）を有し、好ましくは１２〜１９個の炭素原子を含み、それらの分枝一級アルキル部分は、好ましくは全体で少なくとも１４個であり且つ好ましくは２０個以下の炭素原子を含む。これらのサルフェート界面活性剤の一種以上を含む本発明のそれらの組成物又は構成成分中では、分枝一級アルキル部分の炭素原子の平均総数は、好ましくは１４．５より多く約１７．５までの範囲内である。このように、上記界面活性剤系は、好ましくは最長の直鎖炭素鎖が１２個以上の炭素原子又は１９個以下の炭素原子を有する、少なくとも１つの分枝一級アルキルサルフェート界面活性剤化合物を含み、分枝を含む炭素原子の総数は、少なくとも１４個でなければならず、さらに分枝一級アルキル部分の炭素原子の平均総数は１４．５より多く約１７．５までの範囲内である。
【００４７】
好ましいモノメチル分枝一級アルキルサルフェートは、３−メチルペンタデカノールサルフェート、４−メチルペンタデカノールサルフェート、５−メチルペンタデカノールサルフェート、６−メチルペンタデカノールサルフェート、７−メチルペンタデカノールサルフェート、８−メチルペンタデカノールサルフェート、９−メチルペンタデカノールサルフェート、１０−メチルペンタデカノールサルフェート、１１−メチルペンタデカノールサルフェート、１２−メチルペンタデカノールサルフェート、１３−メチルペンタデカノールサルフェート、３−メチルヘキサデカノールサルフェート、４−メチルヘキサデカノールサルフェート、５−メチルヘキサデカノールサルフェート、６−メチルヘキサデカノールサルフェート、７−メチルヘキサデカノールサルフェート、８−メチルヘキサデカノールサルフェート、９−メチルヘキサデカノールサルフェート、１０−メチルヘキサデカノールサルフェート、１１−メチルヘキサデカノールサルフェート、１２−メチルヘキサデカノールサルフェート、１３−メチルヘキサデカノールサルフェート、１４−メチルヘキサデカノールサルフェート、及びそれらの混合物からなる群より選択される。
【００４８】
好ましいジメチル分枝一級アルキルサルフェートは、２，３−メチルテトラデカノールサルフェート、２，４−メチルテトラデカノールサルフェート、２，５−メチルテトラデカノールサルフェート、２，６−メチルテトラデカノールサルフェート、２，７−メチルテトラデカノールサルフェート、２，８−メチルテトラデカノールサルフェート、２，９−メチルテトラデカノールサルフェート、２，１０−メチルテトラデカノールサルフェート、２，１１−メチルテトラデカノールサルフェート、２，１２−メチルテトラデカノールサルフェート、２，３−メチルペンタデカノールサルフェート、２，４−メチルペンタデカノールサルフェート、２，５−メチルペンタデカノールサルフェート、２，６−メチルペンタデカノールサルフェート、２，７−メチルペンタデカノールサルフェート、２，８−メチルペンタデカノールサルフェート、２，９−メチルペンタデカノールサルフェート、２，１０−メチルペンタデカノールサルフェート、２，１１−メチルペンタデカノールサルフェート、２，１２−メチルペンタデカノールサルフェート、２，１３−メチルペンタデカノールサルフェート、及びそれらの混合物からなる群から選択される。
【００４９】
本明細書の陰イオン性界面活性剤はナトリウム塩類の形態で存在することが好ましい。
【００５０】
非イオン性アルコキシル化界面活性剤
エトキシル化及びプロポキシル化非イオン性界面活性剤が好ましい。好ましいアルコキシル化界面活性剤は、アルキルフェノール類の非イオン性縮合物、非イオン性エトキシル化アルコール類、非イオン性エトキシル化／プロポキシル化脂肪族アルコール類の部類から選択することができる。
【００５１】
とりわけ好ましいのは、非イオン性アルコキシル化アルコール界面活性剤であり、１〜７５モルのアルキレンオキシド、特に約５０モル又は１〜１５モル、好ましくは１１モルまでの、特にエチレンオキシド及び／又はプロピレンオキシドを含む、脂肪族アルコールの縮合生成物がとりわけ好ましい非イオン性界面活性剤である。脂肪族アルコールのアルキル鎖は直鎖又は分枝鎖、一級又は二級であることができ、一般的には６〜２２個の炭素原子を含有する。特に好ましいのは、８〜２０個の炭素原子を含有するアルキル基を有するアルコール類とアルコール１モルについて２〜９モル、特に３又は５モルのエチレンオキシドの縮合生成物である。
【００５２】
ポリヒドロキシ脂肪酸アミド類は非常に好ましい非イオン性界面活性剤であり、特に構造式Ｒ２ＣＯＮＲ１Ｚを有する組成物から構成されるものが好ましく、式中、Ｒ１はＨ、Ｃ１〜１８、好ましくはＣ１〜Ｃ４ヒドロカルビル、２−ヒドロキシエチル、２−ヒドロキシプロピル、エトキシ、プロポキシ、又はそれらの混合物であり、好ましくはＣ１〜Ｃ４アルキル、より好ましくはＣ１若しくはＣ２アルキル、最も好ましくはＣ１アルキル（すなわち、メチル）、及びＲ２はＣ５〜Ｃ３１ヒドロカルビル、好ましくは直鎖Ｃ５〜Ｃ１９又はＣ７〜Ｃ１９アルキル若しくはアルケニル、より好ましくは直鎖Ｃ９〜Ｃ１７アルキル若しくはアルケニル、最も好ましくは直鎖Ｃ１１〜Ｃ１７アルキル若しくはアルケニル、又はそれらの混合物であり、Ｚは鎖に直接少なくとも３個のヒドロキシルが結合した直鎖ヒドロカルビルを有するポリヒドロキシヒドロカルビル、又はそれらのアルコキシル化（好ましくはエトキシ化若しくはプロポキシル化）誘導体である。Ｚは好ましくは還元型アミノ化反応において還元糖から誘導され、より好ましくはＺはグリシチルである。
【００５３】
陽イオン性界面活性剤
一般式Ｉのような、Ｃ６〜Ｃ１８のＮ−アルキル鎖を持つ適切な陽イオン性モノ−アルコキシル化及びビス−アルコキシル化四級アミン界面活性剤であり、
【化２】
2004518003.tif 000003
式中、Ｒ１は約６〜約１８個の炭素原子、好ましくは６〜約１６個の炭素原子、最も好ましくは約６〜約１４個の炭素原子を含有するアルキル又はアルケニル部分であり、Ｒ２及びＲ３はそれぞれ独立して、１〜約３個の炭素原子を含有するアルキル基、好ましくはメチルであり、最も好ましくはＲ２及びＲ３の両方がメチル基であり、Ｒ４は水素（好ましい）、メチル及びエチルから選択され、Ｘ−はクロライド、ブロミド、メチルサルフェート、サルフェートなどのような、電気的中性を提供するための陰イオンであり、Ａはアルコキシ基、特にエトキシ、プロポキシ又はブトキシ基であり、ｐは０〜約３０、好ましくは２〜約１５、最も好ましくは２〜約８である。
【００５４】
陽イオン性ビス−アルコキシル化アミン界面活性剤は、好ましくは一般式ＩＩを有する。
【化３】
2004518003.tif 000004
式中、Ｒ１は約８〜約１８個の炭素原子、好ましくは１０〜約１６個の炭素原子、最も好ましくは約１０〜約１４個の炭素原子を含有するアルキル又はアルケニル部分であり、Ｒ２は１〜３個の炭素原子を含有するアルキル基、好ましくはメチルであり、Ｒ３及びＲ４は独立して変化することができ、水素（好ましい）、メチル及びエチルから選択され、Ｘ−はクロライド、ブロミド、メチルサルフェート、サルフェートなどのような、電気的中性を提供するのに十分な陰イオンである。Ａ及びＡ’は独立して変化することができ、それぞれＣ１〜Ｃ４アルコキシ、とりわけエトキシ、（すなわち、−ＣＨ２ＣＨ２Ｏ−）、プロポキシ、ブトキシ及びそれらの混合物から選択され、ｐは１〜約３０、好ましくは１〜約４であり、ｑは１〜約３０、好ましくは１〜約４、並びに最も好ましくはｐ及びｑが両方とも１である。
【００５５】
洗剤組成物で使用することができる陽イオン性界面活性剤の他の適切な群は、陽イオン性エステル界面活性剤である。コリンエステル界面活性剤を含む適切な陽イオン性エステル界面活性剤は、例えば米国特許第４，２２８，０４２号、同第４，２３９，６６０号、及び第４，２６０，５２９号に開示されている。
【００５６】
ビルダー化合物
本発明による組成物は、好ましくは水溶性ビルダー化合物を含有し、典型的には洗剤組成物中に、組成物の１重量％〜６０重量％、好ましくは３重量％〜４０重量％、最も好ましくは５重量％〜２５重量％の濃度で存在する。
【００５７】
適切な水溶性ビルダー化合物には、水溶性モノマーのカルボキシレート類又はその酸形態、又はポリカルボン酸が２個以下の炭素原子で互いに離れた少なくとも２つのカルボキシルラジカルを含むホモポリマー又はコポリマーのポリカルボン酸若しくはそれらの塩類、及びいかなる前述の混合物も挙げられる。
【００５８】
非常に好ましくは、おそらく一種以上の脂肪酸及び／又は任意にそれらの塩（好ましくはナトリウム塩）が洗剤組成物に存在することであろう。これが布地のさらに改良された柔軟性及び洗浄性を提供し得ることが見出された。好ましくは、この組成物は１重量％〜２５重量％、さらに好ましくは６重量％〜１８重量％、又はさらに１０重量％〜１６重量％の脂肪酸又はそれらの塩を含有する。好ましくは、特にＣ１２〜Ｃ１８飽和及び／又は不飽和脂肪酸であるが、好ましくはそれらの脂肪酸の混合物である。非常に好ましくは、飽和及び不飽和脂肪酸の混合物であることが見出され、例えば好ましくは、ナタネ由来脂肪酸とＣ１６〜Ｃ１８初留揮発分全除去（ｔｏｐｐｅｄ ｗｈｏｌｅ ｃｕｔ）脂肪酸の混合物、又はナタネ由来脂肪酸とタローアルコール由来脂肪酸の混合物である。
【００５９】
本発明の洗剤組成物は、ホスフェート含有ビルダー物質を含んでもよい。好ましくは、２％〜４０％、より好ましくは３％〜３０％、より好ましくは５％〜２０％の濃度で存在する。水溶性ホスフェートビルダー類の適切な例は、アルカリ金属トリポリホスフェート類、ナトリウムピロホスフェート、カリウムピロホスフェート及びアンモニウムピロホスフェート、ナトリウムピロホスフェート及びカリウムピロホスフェート及びアンモニウムピロホスフェート、ナトリウムオルトフォスフェート及びカリウムオルトホスフェート、重合度が約６〜２１の範囲であるナトリウムポリメタ／ホスフェート、並びにフィチン酸の塩である。
【００６０】
本発明による組成物は部分的に可溶性又は不溶性のビルダー化合物を含有してよく、典型的には洗剤組成物中に、組成物の０．５重量％〜６０重量％、好ましくは５重量％〜５０重量％、最も好ましくは８重量％〜４０重量％の濃度で存在する。好ましいのは、クラリアント（Ｃｌａｒｉａｎｔ）から入手可能な、ゼオライトＡ若しくはゼオライトＭＡＰのようなアルミノケイ酸塩類及び／又はＳＫＳ−６（登録商標）のような結晶性層状ケイ酸塩類である。
【００６１】
しかしながら、配合の観点から、かかるビルダーは液体中で過剰に分散又は沈殿した物質をもたらし、又は過剰な工程又は分散助剤を必要とするので、液体組成物においてはそのようなビルダーを含まないことが好ましいであろう。
【００６２】
キレート剤
組成物は、２つ以上のホスホン酸若しくはホスホネート基、又は２つ以上のカルボン酸若しくはカルボキシレート基、又はそれらの混合物を有する、通常イオン強度の高いキレート剤を含んでもよい。キレート剤は、本明細書では、重金属イオンを封鎖する（キレートする）ように作用する構成成分を意味するが、これらの構成成分はまた、カルシウム及びマグネシウムをキレートする能力を有してもよい。
【００６３】
キレート剤は一般に、本明細書における組成物の１重量％、好ましくは２．５重量％、３．５重量％又はさらに５．０重量％又はさらに７重量％からであり、且つ好ましくは２０重量％、又はさらに１５重量％、又はさらに１０重量％までの濃度にて存在する。
【００６４】
本明細書で極めて適切な有機ホスホネート類は、アミノアルキレンポリ（アルキレンホスホネート類）、アルカリ金属エタン１−ヒドロキシビスホスホネート類及びニトリロトリメチレンホスホネート類である。上記の種類の中で好ましいのは、ジエチレントリアミンペンタ（メチレンホスホネート）、エチレンジアミントリ（メチレンホスホネート）、ヘキサメチレンジアミンテトラ（メチレンホスホネート）及びヒドロキシ−エチレン１，１ジホスホネートである。
【００６５】
本明細書の使用に適したその他のキレート剤としては、ニトリロ三酢酸及びエチレンジアミノ四酢酸、エチレントリアミン五酢酸、エチレンジアミン二コハク酸、エチレンジアミン二グルタル酸、２−ヒドロキシプロピレンジアミン二コハク酸などのポリアミノカルボン酸又はそれらのいかなる塩もが挙げられる。とりわけ好ましいのは、エチレンジアミン−Ｎ，Ｎ’−二コハク酸（ＥＤＤＳ）又はアルカリ金属塩、アルカリ土類金属塩、アンモニウム塩、若しくはそれらの置換型アンモニウム塩、又はそれらの混合物である。
【００６６】
グリシナミド−Ｎ，Ｎ’−二コハク酸（ＧＡＤＳ）、エチレンジアミン−Ｎ，Ｎ’−二グルタル酸（ＥＤＤＧ）及び２−ヒドロキシプロピレンジアミン−Ｎ，Ｎ’−二コハク酸（ＨＰＤＤＳ）もまた適切である。
【００６７】
２つ以上のカルボキシレート類又はカルボン酸基を持つ適切なキレート剤には、コハク酸、マロン酸、（エチレンジオキシ）二酢酸、マレイン酸、ジグリコール酸、酒石酸、タルトロン酸及びフマル酸の酸又は塩の形態、並びにエーテルカルボキシレート類及びスルフィニルカルボキシレート類が挙げられる。３つのカルボキシ基を含有するキレート剤には、特にシトレート類、アコニトレート類及びシトラコネート類の酸又は塩の形態並びにコハク酸誘導体が挙げられる。好ましいカルボキシレートキレート剤は、分子当り３つまでのカルボキシ基を含有するヒドロキシカルボキシレート類、特にシトレート類及びクエン酸類である。
【００６８】
４つのカルボキシ基を含有するキレート剤には、オキシジスクシネート類、１，１，２，２−エタンテトラカルボキシレート類、１，１，３，３−プロパンテトラカルボキシレート類及び１，１，２，３−プロパンテトラカルボキシレート類、スルホスクシネート誘導体の塩及び酸の形態が挙げられる。
【００６９】
極めて好ましいのは、少なくとも１つのオルガノホスホネート又はホスホン酸及び少なくとも１つのジ−又はトリ−カルボキシレート又はカルボン酸が存在することである。極めて好ましいのは、少なくともフマル酸（又は塩）及びクエン酸（又は塩）及び１以上のホスホネート類が存在することである。好ましい塩はナトリウム塩である。
【００７０】
香料
好ましくは少なくとも１つの構成成分がコーティング剤及び／又は担体物質、好ましくは香料を運ぶ有機ポリマー若しくは香料を運ぶアルミノケイ酸塩、又は香料を内包するカプセル剤、例えば、デンプン若しくはその他のセルロース系物質のカプセル剤を含む、香料構成成分が極めて好ましい。本発明の特に好ましい実施形態では、固体粒子は香料カプセル剤である。
【００７１】
布地柔軟化粘土
好ましい布地柔軟化粘土はスメクタイト粘土であり、例えばＥＰ−Ａ−２９９５７５及びＥＰ−Ａ−３１３１４６に開示されるように、それは本明細書で以下に説明される有機親和性粘土を調製するためにも使用することができる。適切なスメクタイト粘土の具体例は、モンモリロナイト、ヘクトライト、フォルコンスコイト、ノントロナイト、サポナイト及びソーコナイトとしても知られるベントナイトの部類、特に結晶格子構造内にアルカリ又はアルカリ土類金属イオンを有するものから選択される。
【００７２】
好ましくはヘクトライト若しくはモンモリロナイト、又はそれらの混合物である。ヘクトライト類は最も好ましい粘土である。
【００７３】
柔軟化粘土は存在すれば、処方が布地柔軟化処方とすべき場合、約１５重量％までの、さらに好ましくは約３重量％〜約１０重量％の濃度で使用してもよい。
【００７４】
本発明の組成物に適したヘクトライト粘土は、その柔軟化の活性が優れていることから、好ましくはナトリウム粘土であるべきである。ナトリウム粘土は天然に産出するものであるか、又はナトリウム粘土に転換するために処理された天然に産出するカルシウム粘土である。カルシウム粘土を本発明の組成物に使用する場合、カルシウム粘土をナトリウム粘土に転換するためにナトリウム塩を組成物に加えることができる。好ましくは、そのような塩は炭酸ナトリウムであり、典型的には粘土の全量の５％までの濃度で加える。本発明の組成物に適したヘクトライト粘土の例には、エレメンティス（Ｅｌｅｍｅｎｔｉｓ）によって販売されるベントンＥＷ（Ｂｅｎｔｏｎｅ ＥＷ）（登録商標）が挙げられる。
【００７５】
別の好ましい粘土は有機親和性の粘土であり、好ましくはスメクタイト粘土であって、その際交換可能な陽イオンの少なくとも３０％、又はさらに少なくとも４０％、又は好ましくは少なくとも５０％、又はさらに少なくとも６０％は、好ましくは長鎖の有機陽イオンと置換する。このような粘土は、疎水性の粘土とも呼ばれる。粘土の陽イオン交換能及びその陽イオンの長鎖有機陽イオンとの交換百分率は、当該技術分野において既知のいくつかの方法で測定することが可能であり、例えばグリムショウ（Ｇｒｉｍｓｈａｗ）の粘土の化学と物理学（Ｔｈｅ Ｃｈｅｍｉｓｔｒｙ ａｎｄ Ｐｈｙｓｉｃｓ ｏｆ Ｃｌａｙｓ）、インターサイエンス・パブリッシャーズ社（Ｉｎｔｅｒｓｃｉｅｎｃｅ Ｐｕｂｌｉｓｈｅｒｓ、Ｉｎｃ．）、２６４〜２６５頁（１９７１年）に極めて詳しく説明されている。
【００７６】
有機親和性スメクタイト粘土は優れた柔軟化利益を提供するが、それらは液体組成物の粘度を増加させ得る。従って、これらの有機親和性粘土がどのぐらい使用できるかということは、組成物の粘度要求条件に依存する。通常、それらは本発明の液体洗浄組成物において、組成物の０．１重量％〜１０重量％、さらに好ましくは０．３重量％〜７重量％、最も好ましくは０．４重量％〜５重量％、又はさらに０．５重量％〜４重量％の濃度で使用される。
【００７７】
これらの有機親和性の粘土は、上記洗剤組成物に取入れる前に形成される。従って、例えば、通常のスメクタイト粘土の陽イオン、又はそれらの一部は、さらに材料を処理して本発明の洗剤を形成する前に上記長鎖有機陽イオンと置換され、本明細書にある有機親和性スメクタイト粘土を形成する。
【００７８】
上記有機親和性粘土は、好ましくは小板の形態であるか又はラス形の粒子である。好ましくは、そのような小板の幅と長さの比率は、少なくとも１：２、好ましくは少なくとも１：４、又はさらに少なくとも１：６、又はさらに少なくとも１：８である。
【００７９】
本発明に使用する時、長鎖有機陽イオンは、少なくとも６個の炭素原子、しかし通常は少なくとも１０個の炭素原子、好ましくは少なくとも１２個の炭素原子、又は本発明のある実施形態では、少なくとも１６個、又はさらに少なくとも１８個の炭素原子を有する少なくとも１つの鎖を含むいかなる化合物でもあり得る。好ましい長鎖有機陽イオンは、本明細書で以下に説明される。
【００８０】
本明細書で好ましい有機親和性粘土は、スメクタイト粘土、好ましくはヘクトライト粘土及び／又はモンモリロナイト粘土であり、１つ以上の次式の有機陽イオンを含有する。
【００８１】
【化４】
2004518003.tif 000005
又は
【化５】
2004518003.tif 000006
式中、Ｒ１は、Ｒ７、Ｒ７−ＣＯ−Ｏ−（ＣＨ２）ｎ又はＲ７−ＣＯ−ＮＲ８−から選択される有機ラジカルを表し、式中Ｒ７は１２〜２２個の炭素原子を有するアルキル、アルケニル又はアルキルアリール基であり、式中Ｒ８は水素、Ｃ１〜Ｃ４のアルキル、アルケニル又はヒドロキシアルキル、好ましくは−ＣＨ３又は−Ｃ２Ｈ５又は−Ｈであり、ｎは整数で、好ましくは２又は３に等しく、Ｒ２はＲ１、Ｃ１〜Ｃ４のアルキル、アルケニル又はヒドロキシアルキルから選択される有機ラジカルを表し、好ましくは−ＣＨ３又は−ＣＨ２ＣＨ２ＯＨであり、Ｒ３及びＲ４はＣ１〜Ｃ４のアルキルアリール、Ｃ１〜Ｃ４のアルキル、アルケニル又はヒドロキシアルキルから選択される有機ラジカルを表し、好ましくは−ＣＨ３、−ＣＨ２ＣＨ２ＯＨ、又はベンジル基であり、Ｒ５は１２〜２２個の炭素原子を有するアルキル又はアルケニル基であり、Ｒ６は好ましくは−ＯＨ、−ＮＨＣＯ−Ｒ７、又は−ＯＣＯ−Ｒ７である。
【００８２】
極めて好ましい陽イオンは、２つのＣ１６〜Ｃ２８又はさらにＣ１６〜Ｃ２４のアルキル鎖を有する四級アンモニウム陽イオンである。極めて好ましいのは、天然脂肪族アルコール類より誘導された１つ又は好ましくは２つのアルキル基を有する１つ以上の有機陽イオンであり、その陽イオンは、好ましくはジココイルメチルベンジルアンモニウム、ジココイルエチルベンジルアンモニウム、ジココイルジメチルアンモニウム、ジココイルジエチルアンモニウム、さらに好ましくはジタロージエチルアンモニウム、ジタローエチルベンジルアンモニウム、さらに好ましくはジタロージメチルアンモニウム及び／又はジタローメチルベンジルアンモニウムより選択される。
【００８３】
有機陽イオンの混合物が存在していることが極めて好ましい。
【００８４】
極めて好ましいのは、レオックス／エレメンティス（Ｒｈｅｏｘ／Ｅｌｅｍｅｎｔｉｓ）から入手可能なベントンＳＤ−１（Ｂｅｎｔｏｎｅ ＳＤ−１）（登録商標）及びベントンＳＤ−３（Ｂｅｎｔｏｎｅ ＳＤ−３）（登録商標）のような有機親和性粘土である。
【００８５】
本発明の特に好ましい実施形態では、固体粒子は粘土の粒塊又は押出品のような粘土粒子である。
【００８６】
陽イオン性布地柔軟化剤
陽イオン性布地柔軟化剤が、本明細書の組成物中に存在するのが好ましい。適切な陽イオン性布地柔軟化剤としては、ＧＢ−Ａ−１５１４２７６及びＥＰ−Ｂ−００１１３４０に開示されるような非水溶性三級アミン類又はジ長鎖アミド物質が挙げられる。好ましくは、これらの非水溶性三級アミン類又はジ長鎖アミド物質類は本明細書の組成物の固体構成成分に含まれる。
【００８７】
陽イオン性布地柔軟化剤は、典型的には全体で０．５重量％〜１５重量％、通常１重量％〜５重量％の濃度で混合される。
【００８８】
漂白剤
存在してもよいもう１つの成分は、過炭酸塩、特にナトリウム塩などの過水和物漂白剤、及び／又は有機ペルオキシ酸漂白剤前駆体である。小袋又は区画がＰＶＡのような遊離ヒドロキシ基を有する物質から形成される際、好ましい漂白剤は過炭酸塩を含み、いかなる過ホウ酸塩又はホウ酸塩をも含まないことが好ましいことがわかった。ホウ酸塩及び過ホウ酸塩が、これらのヒドロキシ含有物質と相互作用し、物質の溶解を減少させ、また機能性低下をもたらすこともわかった。
【００８９】
無機過水和物塩は、好ましい過酸化物源である。好ましくは、これらの塩は、組成物又は構成成分の０．０１重量％〜５０重量％、さらに好ましくは０．５重量％〜３０重量％の濃度で存在する。
【００９０】
無機過水和物塩の例としては、過炭酸塩、過リン酸塩、過硫酸塩及び過珪酸塩が挙げられる。無機過水和物塩は通常アルカリ金属塩である。無機過水和物塩は追加的な保護をしない結晶性固体として含まれてもよい。しかしながら、特定の過水和物塩については、このような顆粒状組成物の好ましい作製は、顆粒状製品の中で過水和物塩にさらに良好な保存安定性を提供する物質のコーティングされた形態を利用するものである。適切なコーティングはケイ酸、炭酸塩、ホウ酸の、アルカリ金属塩、若しくはそれらの混合物のような無機塩、又はろう、油、若しくは脂肪族石鹸のような有機物質を含む。
【００９１】
アルカリ金属過炭酸塩、特に過炭酸ナトリウムは、本明細書で好ましい過水和物である。過炭酸ナトリウムは、２Ｎａ２ＣＯ３．３Ｈ２Ｏ２に相当する式を有する付加化合物であり、結晶固体として市販されている。
【００９２】
本明細書の組成物は好ましくは、ペルオキシ酸又はそのための前駆体（漂白剤活性化剤）を含み、好ましくは有機ペルオキシ酸漂白剤前駆体を含む。組成物は、本明細書で定義される少なくとも２つのペルオキシ酸漂白剤前駆体、好ましくは少なくとも１つの疎水性ペルオキシ酸漂白剤前駆体と少なくとも１つの親水性ペルオキシ酸漂白剤前駆体とを含むことが好ましい。前駆体と過酸化水素の供給源との自然反応によって、有機ペルオキシ酸が発生する。
【００９３】
好ましくは、疎水性ペルオキシ酸漂白剤前駆体は、オキシベンゼンスルホン酸基、好ましくは、本明細書に記載されるような、ＮＯＢＳ、ＤＯＢＳ、ＬＯＢＳ及び／又はＮＡＣＡ−ＯＢＳを有する化合物を含む。
【００９４】
親水性ペルオキシ酸漂白剤前駆体は、好ましくは、本明細書に記載されるように、ＴＡＥＤを含む。
【００９５】
アミド置換アルキルペルオキシ酸前駆体化合物は、本明細書で適切であり、次の一般式のものが挙げられる。
【００９６】
【化６】
2004518003.tif 000007
又は
【化７】
2004518003.tif 000008
式中、Ｒ１は、１〜１４個の炭素原子を持つアルキル基であり、Ｒ２は、１〜１４個の炭素原子を含有するアルキレン基であり、Ｒ５は、Ｈ又は１〜１０個の炭素原子を含有するアルキル基であり、Ｌは本質的にいかなる脱離基であってもよい。この種のアミド置換型漂白剤活性化剤化合物は、ＥＰ−Ａ−０１７０３８６に記載されている。
【００９７】
組成物は予備形成有機ぺルオキシ酸を含有してもよい。
【００９８】
有機ぺルオキシ酸化合物の好ましい部類は、次の一般式のアミド置換化合物である。
【００９９】
【化８】
2004518003.tif 000009
又は
【化９】
2004518003.tif 000010
式中、Ｒ１は、１〜１４個の炭素原子を有するアルキル基、アリール基、又はアルカリール基であり、Ｒ２は、１〜１４個の炭素原子を含有するアルキレン基、アリーレン基、及びアルカリーレン基であり、Ｒ５は、Ｈ又は１〜１０個の炭素原子を含有するアルキル基、アリール基、若しくはアルカリール基である。この種のアミド置換型有機ペルオキシ酸化合物は、ＥＰ−Ａ−０１７０３８６に記載されている。
【０１００】
その他の有機ペルオキシ酸には、ジアシルペルオキシド類及びテトラアシルペルオキシド類、特に、ジペルオキシドデカン二酸、ジペルオキシテトラデカン二酸、及びジペルオキシヘキサデカン二酸が挙げられる。モノ−及びジペルアゼライン酸、モノ−及びジペルブラシル酸、並びにＮ−フタロイルアミノペルオキシカプロン酸も、本明細書での使用に適している。
【０１０１】
本発明の特に好ましい実施形態では、固体粒子は粒子状の漂白剤又は漂白剤活性化剤である。
【０１０２】
泡抑制系
組成物は、組成物の１０重量％未満、好ましくは０．００１重量％〜１０重量％、好ましくは０．０１重量％〜８重量％、最も好ましくは０．０５重量％〜５重量％の濃度の泡抑制剤を含んでもよく、好ましくは泡抑制剤は石鹸、パラフィン、ろう、又はそれらの組み合わせである。泡抑制剤が泡抑制シリコンである場合、洗剤組成物は好ましくは０．００５重量％〜０．５重量％の泡抑制シリコンを含む。
【０１０３】
酵素
本発明の組成物に有用なその他の好ましい成分は、１つ以上の酵素である。
【０１０４】
好ましい酵素物質としては、市販のリパーゼ、クチナーゼ、アミラーゼ、中性及びアルカリ性のプロテアーゼ、セルラーゼ、エンドラーゼ、エステラーゼ、ぺクチナーゼ、ラクターゼ、及び洗剤組成物に従来組み込まれたぺルオキシダーゼが挙げられる。適切な酵素は米国特許３，５１９，５７０号及び３，５３３，１３９号に記載されている。
【０１０５】
市販の好ましいプロテアーゼ酵素には、ノボ・インダストリーズＡ／Ｓ（Ｎｏｖｏ Ｉｎｄｕｓｔｒｉｅｓ Ａ／Ｓ）（デンマーク）より商品名アルカラーゼ（Ａｌｃａｌａｓｅ）、サビナーゼ（Ｓａｖｉｎａｓｅ）、プライマーゼ（Ｐｒｉｍａｓｅ）、デュラジム（Ｄｕｒａｚｙｍ）、及びエスペラーゼ（Ｅｓｐｅｒａｓｅ）として販売されるもの、ギスト−ブロケーズ（Ｇｉｓｔ−Ｂｒｏｃａｄｅｓ）より商品名マキサターゼ（Ｍａｘａｔａｓｅ）、マキサカル（Ｍａｘａｃａｌ）、及びマキサペム（Ｍａｘａｐｅｍ）として販売されるもの、ジェネンコア・インターナショナル（Ｇｅｎｅｎｃｏｒ Ｉｎｔｅｒｎａｔｉｏｎａｌ）より販売されるもの、及びソルベイ・エンザイムス（Ｓｏｌｖａｙ Ｅｎｚｙｍｅｓ）より商品名オプティクリーン（Ｏｐｔｉｃｌｅａｎ）及びオプティマーゼ（Ｏｐｔｉｍａｓｅ）として販売されるものが挙げられる。プロテアーゼ酵素は、本発明による組成物中に、組成物の０．０００１重量％〜４重量％の活性酵素の濃度で混合されてもよい。
【０１０６】
好ましいアミラーゼ類には、例えば、バチルス・リケニフォルミス（Ｂ．ｌｉｃｈｅｎｉｆｏｒｍｉｓ）の特殊な株から得られるα−アミラーゼが挙げられ、ＧＢ−１，２６９，８３９（ノボ（Ｎｏｖｏ）にその詳細が記載されている。市販の好ましいアミラーゼとしては、例えば、ギスト−ブロケーズ（Ｇｉｓｔ−Ｂｒｏｃａｄｅｓ）より商品名ラピダーゼとして販売されるもの、及びノボ・インダストリーズ（Ｎｏｖｏ Ｉｎｄｕｓｔｒｉｅｓ）Ａ／Ｓより商品名ターマミル（Ｔｅｒｍａｍｙｌ）、ドゥラミル（Ｄｕｒａｍｙｌ）、及びバン（ＢＡＮ）として販売されるものが挙げられる。極めて好ましいアミラーゼ酵素はおそらく、ＰＣＴ出願番号ＰＣＴ／ＵＳ９７／０３６３５、及びＰＣＴ国際公開特許ＷＯ９５／２６３９７及びＰＣＴ国際公開特許ＷＯ９６／２３８７３に記載されている酵素である。
【０１０７】
アミラーゼ酵素は本発明による組成物に、組成物の０．０００１重量％〜２重量％の活性酵素の濃度で混合されてもよい。
【０１０８】
本発明の特に好ましい実施形態では、固体粒子は酵素カプセル剤である。
【０１０９】
本発明の組成物に含むのに有用な追加の非アルコキシル化有機ポリマー化合物としては、水溶性有機ホモポリマー性又はコポリマー性のポリカルボン酸又はその塩が挙げられ、その際ポリカルボン酸は、２個以下の炭素原子で互いに分離された少なくとも２つのカルボキシルラジカルを含む。後者のタイプのポリマーはＧＢ−Ａ−１，５９６，７５６に開示されている。そのような塩類の例は、分子量が１０００〜５０００のポリアクリレート及びそれらの無水マレイン酸とのコポリマーであり、そのようなコポリマーは分子量が２０００〜１００，０００、特に４０，０００〜８０，０００である。
【０１１０】
本発明の洗剤組成物に混合するのに適したその他の有機ポリマー化合物として、セルロース誘導体が挙げられる。
【０１１１】
本明細書の使用に適した泡抑制系は、例えば、シリコン消泡化合物及び２−アルキルアルカノール消泡化合物を含む、本質的にいかなる既知の消泡化合物を含んでもよい。
【０１１２】
他の適切な消泡化合物としては、モノカルボキシル脂肪酸類及びそれらの可溶性塩類が挙げられ、上記ビルダーで記載された通りである。これらの物質は米国特許第２，９５４，３４７号（１９６０年９月２７日、ウェインセントジョン（Ｗａｙｎｅ Ｓｔ．Ｊｏｈｎ）に発行）に記載されている。泡抑制剤として用いられるモノカルボキシル脂肪酸及びその塩は典型的には、１０〜２４個の炭素原子、好ましくは１２〜１８個の炭素原子のヒドロカルビル鎖を有する。適切な塩類としては、特にナトリウム塩だけでなくカリウム塩のようなアルカリ金属塩類が挙げられる。
【０１１３】
本明細書における組成物は、０．０１重量％〜１０重量％、好ましくは０．０５重量％〜０．５重量％のポリマー染料移行阻害剤も含んでもよい。上記ポリマー染料移行阻害剤は、好ましくはポリアミン−Ｎ−オキシドポリマー、Ｎ−ビニルピロリドン及びＮ−ビニルイミダゾールのコポリマー、ポリビニルピロリドンポリマー又はそれらの組み合わせより選択され、その際これらのポリマーは架橋ポリマーであり得る。
【０１１４】
本明細書の組成物は任意に約０．００５重量％〜５重量％のある種の親水性光学的光沢剤も含有する。好ましい光沢剤としては、チバ−ガイギー社（Ｃｉｂａ−Ｇｅｉｇｙ Ｃｏｒｐｏｒａｔｉｏｎ）により商標名チノパール（Ｔｉｎｏｐａｌ）−ＵＮＰＡ−ＧＸで市販品として販売されている、４，４’，−ビス［（４−アニリノ−６−（Ｎ−２−ビス−ヒドロキシエチル）−ｓ−トリアジン−２−イル）アミノ］−２，２’−スチルベンジスルホン酸及び二ナトリウム塩、チバ−ガイギー社により商標名チノパール５ＢＭ−ＧＸで市販品として販売されている、４，４’−ビス［（４−アニリノ−６−（Ｎ−２−ヒドロキシエチル−Ｎ−メチルアミノ）−ｓ−トリアジン−２−イル）アミノ］−２，２’−スチルベンジスルホン酸二ナトリウム塩、チバ−ガイギー社により商標名チパノール−ＤＭＳ−Ｘ及びチノパールＡＭＳ−ＧＸで市販品として販売されている、４，４’−ビス［（４−アニリノ−６−モルフィリノ−ｓ−トリアジン−２−イル）アミノ］−２，２’−スチルベンジスルホン酸、ナトリウム塩が挙げられる。
【０１１５】
また好ましいのは、漂白剤、中和剤、緩衝剤、位相調整剤、ヒドロトロープ、酵素安定化剤、不透明化剤、酸化防止剤、殺菌剤、光漂白剤であってもよい。
【０１１６】
（実施例）
実施例１
次の低水分液状洗剤媒質を調製した。製造した時の水分レベルは約３．８％（処方１Ａ）及び約５．５％（処方１Ｂ）であった。
【０１１７】
【表１】
2004518003.tif 000011
１ポリマー１は、平均エトキシル度＝１５のポリエチレンイミン（ＭＷ＝１８２）である。
２ポリマー２は、平均エトキシル度＝２０のポリエチレンイミン（ＭＷ＝６００）である。
【０１１８】
実施例２
６０℃にて融解したプルラコール（Ｐｌｕｒａｃｏｌ）（登録商標）Ｅ４０００にδ−ダマスコーン及びルパソール（Ｌｕｐａｓｏｌ）（登録商標）ＷＦの反応生成物を加えることにより、ポリマーの芳香前駆体を含有する均一な球形粒子を調製した。金型にて融解物を１０ｍｍの球形に成型した。
【０１１９】
【表２】
2004518003.tif 000012
実施例１Ａ及び１Ｂの低水分液体洗剤媒質に試料ａ及びｂを入れ、可溶性ポリビニルアルコールフィルム、モノ−ゾル（登録商標）８６３０の小袋に密封し（小袋当り５０ｍＬの洗剤及び１０ｍｍのカプセル１個）、眼に見える芳香カプセルを伴う一回分にした用量の液体洗剤組成物を提供した。粒子は、実施例１Ａ及び１Ｂの低水分洗剤の中で安定であり、洗浄液に溶解し、乾燥後、洗濯物に新鮮な芳香を付与した。試料ｂの球形粒子は洗剤ほど密ではなく、小袋の中の洗剤に浮かび、小袋を洗浄液に加えると迅速に溶解する。
【０１２０】
実施例３
５４．４ｇのプルラコール（Ｐｌｕｒａｃｏｌ）（登録商標）Ｅ４０００溶液（４８．７％水溶液）、２０４．１ｇのクエン酸ナトリウム二水和物、及び４１．２の水を合わせることにより、クエン酸ナトリウムを含有する押出粒子を調製した。８ｍｍの軸方向染料を介して混合物を押出し、長さ８ｍｍに切断した。乾燥後、組成物は以下のようであった。
【０１２１】
【表３】
2004518003.tif 000013
実施例１Ａ及び１Ｂの低水分液体洗剤媒質に固体のクエン酸塩粒子の試料を入れ、可溶性ポリビニルアルコールフィルム、モノ−ゾル（登録商標）８６３０の小袋に密封し（小袋当り５０ｍＬの洗剤及び固体粒子２個）、眼に見える固体粒子を伴う一回分にした用量の液状洗剤組成物を提供した。粒子は低水分洗剤の中で眼に見え、安定であり、洗浄液に加えると迅速に溶解する。
【０１２２】
実施例４
６０℃にて融解したプルラコール（Ｐｌｕｒａｃｏｌ）（登録商標）Ｅ４０００にジクロロ−（４，１１−ジエチル−１，４，８，１１−テトラアザビシクロ［６．６．２］ヘキサデカン）マンガンを混合し、次いで金型で成型し、以下の組成物を提供することにより、酸化触媒を含有する均一な球形粒子を調製した。
【０１２３】
【表４】
2004518003.tif 000014
実施例１Ａ及び１Ｂの低水分液体洗剤媒質に固体の漂白剤触媒粒子の試料を入れ、可溶性ポリビニルアルコールフィルム、モノ−ゾル（登録商標）８６３０の小袋に密封し（小袋当り５０ｍＬの洗剤及び固体粒子１個）、眼に見える漂白剤触媒粒子を伴う一回分にした用量の液状洗剤組成物を提供し、洗浄液に加えると迅速に溶解した。
【０１２４】
実施例５
２５．０ｇの変性セルロース、５．６０ｇのイミダゾール−エピクロロヒドリン縮合オリゴマー溶液（４４．６％水溶液）、２０．８ｇのクエン酸ナトリウム二水和物、６．５ｇのアクソール（Ａｃｕｓｏｌ）（登録商標）４４５Ｎ（４５．０％水溶液）、及び３８．５ｇの水を混合し、直径およそ１０ｍｍの粒子を形成し、乾燥することにより、布地磨耗防止剤及び染料退色防止剤を含有する固体粒子を調製した。乾燥後、個々の粒子はそれぞれおよそ０．６ｇの重さがあり、組成物は以下のようであった。
【０１２５】
【表５】
2004518003.tif 000015
３ＰＣＴ国際公開特許ＷＯ００／２２０７８Ａ１に記載のとおり
実施例１Ａ及び１Ｂの低水分液体洗剤媒質に固体粒子の試料を入れ、可溶性ポリビニルアルコールフィルム、モノ−ゾル（登録商標）８６３０の小袋に密封し（５０ｍＬの洗剤）、眼に見える固体粒子を伴う一回分にした用量の液状洗剤組成物を提供した。
【０１２６】
実施例６
さらなる実施例では、デンプンベースの粒子上に色素を加えることにより、平均幾何直径、ａ）２ｍｍ及びｂ）５ｍｍを持つ着色粒子を製造する。消費者の望ましい審美性のために、これらの着色粒子又は「小斑点物（ｓｐｅｃｋｌｅｓ）」を上記実施例の液体組成物に加える。小斑点物は、洗浄液に加えると迅速に溶解する。
【国際公開パンフレット】
2004518003.tif 000016
2004518003.tif 000017
2004518003.tif 000018
2004518003.tif 000019
2004518003.tif 000020
2004518003.tif 000021
2004518003.tif 000022
2004518003.tif 000023
2004518003.tif 000024
2004518003.tif 000025
2004518003.tif 000026
2004518003.tif 000027
2004518003.tif 000028
2004518003.tif 000029
2004518003.tif 000030
2004518003.tif 000031
2004518003.tif 000032
2004518003.tif 000033
2004518003.tif 000034
2004518003.tif 000035
2004518003.tif 000036
2004518003.tif 000037
2004518003.tif 000038
2004518003.tif 000039
2004518003.tif 000040
2004518003.tif 000041
2004518003.tif 000042
2004518003.tif 000043
2004518003.tif 000044
2004518003.tif 000045
2004518003.tif 000046
2004518003.tif 000047
【国際公開パンフレット（コレクトバージョン）】
2004518003.tif 000048
【国際調査報告】
2004518003.tif 000049
2004518003.tif 000050
2004518003.tif 000051